(57)【要約】  紙ベース（21）と、紙ベースの反対の両面にそれぞれ設けられた第1の感光層（22）及び第2の感光層（24）とを含む両面感光カラー印画紙。紙ベースと第1の感光層の間及び/又は紙ベースと第2の感光層の間に銀質遮光層が塗布された。
2011524543.tif 000002
【特許請求の範囲】
【請求項１】
紙ベース層と、
前述紙ベース層の一方の面に設けられた第1の感光層と、
前述紙ベース層と前述第1の感光層の間に設けられた第1の銀質遮光層と、
前述紙ベース層の他方の面に設けられた第2の感光層と、
を含む、両面感光カラー印画紙。
【請求項２】
さらに、前述紙ベース層と前述第2の感光層の間に設けられた第2の銀質遮光層を含むことを特徴とする請求項1に記載の両面感光カラー印画紙。
【請求項３】
前述第1の銀質遮光層は、反射濃度が0.7以上であることを特徴とする請求項1に記載の両面感光カラー印画紙。
【請求項４】
前述第1の銀質遮光層及び第2の銀質遮光層は、いずれも反射濃度が0.4以上であることを特徴とする請求項2に記載の両面感光カラー印画紙。
【請求項５】
前述銀質遮光層は、少なくとも写真用ゼラチンと銀を含む銀質乳剤を、前述紙ベース層に塗布することによって形成されたものであることを特徴とする請求項1に記載の両面感光カラー印画紙。
【請求項６】
一つの紙ベース層を提供すること、
前述紙ベース層の一方の面に銀質乳剤を塗布することによって、第1の銀質遮光層を形成すること、
前述銀質遮光層の上に感光乳剤を塗布することによって、第1の感光層を形成すること、及び
前述紙ベース層の他方の面に感光乳剤を塗布することによって、第2の感光層を形成すること、
を含む、両面感光カラー印画紙の製造方法。
【請求項７】
前述紙ベース層の他方の面に感光乳剤を塗布することによって、第2の感光層を形成する前に、
前述紙ベース層の他方の面に銀質乳剤を塗布することによって、第2の銀質遮光層を形成すること、
を含む、ことを特徴とする請求項6に記載の両面感光カラー印画紙の製造方法。
【請求項８】
前述第1の銀質遮光層は、反射濃度が0.7以上であることを特徴とする請求項6に記載の両面感光カラー印画紙の製造方法。
【請求項９】
前述第1の銀質遮光層及び第2の銀質遮光層は、いずれも反射濃度が0.4以上であることを特徴とする請求項7に記載の両面感光カラー印画紙の製造方法。
【請求項１０】
前述銀質乳剤は、少なくとも写真用ゼラチンと銀を含む、ことを特徴とする請求項6に記載の両面感光カラー印画紙の製造方法。
【発明の詳細な説明】
【技術分野】
【０００１】
本発明は、感光印画紙、特に両面で感光して画像を形成するカラー印画紙及びその製造方法に関する。
【背景技術】
【０００２】
伝統的な写真を引き伸ばしプリントするための印画紙は、一面だけで感光する片面感光印画紙であり、印画紙の一面に感光させて画像を生成させた後、フォトフレームやアルバムに置いて片面を観賞するため、印画紙の応用範囲が制限されている。
【０００３】
最近、両面感光が可能なカラー印画紙が提出された。例えば、中国特許公告CN2807300Y号の実用新案の特許では、図1に示すように、この印画紙10は、一つの紙ベース11と、紙ベース11の一面に設けられた第1の感光層12及び第1の保護層13と、紙ベース11のもう一面に設けられた第2の感光層14及び第2の保護層15とを含む。ここで、紙ベース11は、第1の感光層11と第2の感光層14の間にある遮光層である。ここで、各感光層12又は14は、それぞれ赤感光層、緑感光層及び青感光層からなるものである。
【０００４】
上述特許は、印画紙の表・裏面にそれぞれ画像を形成させることによって、印画紙の使用の節約を図る。しかし、両面感光の印画紙は、片面の感光を二回、或いは両面の感光を同時に行う場合、その一方の面に対する露光の光線が他方の面に影響を与え、画像生成の品質を降下させてしまう。紙ベース11が部分的な遮光作用を持つが、相当の部分の光線の投射が不可避である。図2に示すように、その一方の面の感光層12のみに感光させる場合、一部の露光光線L1が紙ベース11を透過して他方の面の感光層14に照射することによって、その他方の面の感光層14の一部が感光して後の画像生成の品質に影響を与える。逆に、感光層14に感光させる場合にも、感光層12に影響を与える。
【０００５】
そのため、業界では上述問題を克服できる両面感光カラー印画紙が切望されている。
【発明の概要】
【０００６】
本発明が解決しようとする技術問題は、両面感光の場合の光投射による画像生成の品質の低下を防止することができる両面感光カラー印画紙を提供することである。
【０００７】
また、本発明は、両面感光カラー印画紙の製造方法を提供する。
【０００８】
本発明は、以上の技術方案を使用することにより、既存技術に比べて、銀質遮光層を設けることによって光透過を防止することができるため、露光の必要のない感光層にあるべきではない画像が生成しないので、より優れた画像生成の品質を得ることができる。特に、焼付けの過程で、銀質遮光層における銀を除去し、透明なゼラチン層を残すことができるため、印画紙の最終的な観賞の品質に影響を及ぼすおそれがない。
【図面の簡単な説明】
【０００９】
本発明の特徴、性能を以下の実施例及びその図面でさらに説明する。
【図１】既存の両面感光印画紙の構造の概略図である。
【図２】図1に示された印画紙の感光の概略図である。
【図３】本発明の一実施例による両面感光印画紙の構造の概略図である。
【図４Ａ】本発明の一実施例による両面感光印画紙の感光の概略図である。
【図４Ｂ】本発明の一実施例による両面感光印画紙の感光の概略図である。
【図５】本発明の一実施例による両面感光印画紙の構造の概略図である。
【図６】本発明の別の実施例による両面感光印画紙の感光の概略図である。
【図７】本発明の実施例による銀質乳剤の製造プロセスの概略図である。
【発明を実施するための形態】
【００１０】
本発明の実施例による両面感光カラー印画紙は、一括で両面映像の効果がある図を焼き付けるのに使用され、且つ両面露光時の相互の影響が確保される。図3に示すように、本発明の一実施例に係る両面感光カラー印画紙20は、紙ベース層21、第1の感光層22、第1の銀質遮光層23、及び第2の感光層24を含む。第1の感光層22は紙ベース層21の一方の面に設けられている。第2の感光層24は紙ベース層21の他方の面に設けられている。各感光層22又は24は、さらにそれぞれ赤感光層、緑感光層及び青感光層からなるものである。ここで、赤感光層、緑感光層及び青感光層の間は分離層で分離されてもよく、最外側の赤感光層の外に、保護層が付加されてもよい。
【００１１】
第1の銀質遮光層23は紙ベース層21と第1の感光層22の間に設けられている。第1の銀質遮光層23は、銀質遮光乳剤を紙ベース層21に塗布することによって形成されたもので、その反射濃度を0.7以上に制御することで、紙ベース層を透過して他方の面の感光層を影響することがないように光線を遮断する。銀質遮光乳剤は、主な有効成分が銀微粒子で、溶媒は、例えば写真用ゼラチンである。
【００１２】
図4Aに示すように、印画紙露光光線Lが第1の感光層22を経て第1の銀質遮光層23に入射すると、第1の銀質遮光層23が大部分の光線を遮断する作用を発揮し、光線L2が遮光層で減衰していくため、紙ベース層21を透過して他方の面の第2の感光層24を露光することができなくなる。そのため、直射光が第2の感光層24にあるべきではない画像を生成させて本来の画像品質を損なうことが防止された。さらに、第1の銀質遮光層23は、第1の感光層22の内部における光の反射及び散乱L2’（図2に示す反射光L１’を参照）を低減することができるので、印画紙の画像生成の明晰度を向上させる。
【００１３】
逆に、印画紙露光光線Lが第2の感光層24及び紙ベース層21を経て第1の銀質遮光層23に入射すると、第1の銀質遮光層23が光線L2を減衰させていくことができるため、その面の第1の感光層22を露光させることがない。
【００１４】
図5に示すように、本発明の別の実施例に係る両面感光カラー印画紙30は、紙ベース層31、第1の感光層32、第1の銀質遮光層33、第2の感光層34、及び第2の銀質遮光層35を含む。第1の感光層32は紙ベース層31の一方の面に設けられている。第2の感光層34は紙ベース層31の他方の面に設けられている。各感光層32又は34は、さらにそれぞれ赤感光層、緑感光層及び青感光層からなるものでもよい。
【００１５】
第1の銀質遮光層33は紙ベース層31と第1の感光層32の間に設けられている。第2の銀質遮光層35は紙ベース層31と第2の感光層32の間に設けられている。第1の銀質遮光層33と第2の銀質遮光層35は、それぞれ銀質遮光乳剤を紙ベース層21に塗布することによって形成されたもので、第1の銀質遮光層33と第2の銀質遮光層35の反射濃度を0.4以上に制御することで、他方の面の感光層に到達できないように光線を遮断する。第1の銀質遮光層33と第2の銀質遮光層35は、反射濃度が同じであってもよく、異なっていてもよい。
【００１６】
図6に示すように、印画紙露光光線Lが第1の感光層32を経て第1の銀質遮光層33に入射すると、第1の銀質遮光層33と第2の銀質遮光層35の相乗作用で、大部分の光線を遮断することができる。まず、第1の銀質遮光層33が一部の光線を遮断し、残った光線L3が紙ベース層31を経て第2の銀質遮光層35に入射しても、第2の銀質遮光層35に吸収されるので、他方の面の第2の感光層24を露光することがない。そのため、直射光が第2の感光層24にあるべきではない画像を生成させて本来の画像品質を損なうことが防止された。さらに、第1の銀質遮光層33は、第1の感光層32の内部における光の反射及び散乱L3’（図2に示す反射光L１’を参照）を低減することができるので、印画紙の画像生成の明晰度を向上させる。
【００１７】
次に、図3に示す実施例に係る両面感光印画紙の製造方法を説明する。
【００１８】
まず、一つの紙ベース層21を提供する。
【００１９】
そして、前述紙ベース層21の一方の面に銀質乳剤を塗布することによって、反射濃度を0.7以上に制御するように、第1の銀質遮光層23を形成する。
【００２０】
その後、前述銀質遮光層23の上に感光乳剤を塗布することによって、第1の感光層22を形成する。
【００２１】
最後に、前述紙ベース層31の他方の面に感光乳剤を塗布することによって、第2の感光層24を形成する。
【００２２】
次に、図5に示す実施例に係る両面感光印画紙の製造方法を説明する。
【００２３】
まず、一つの紙ベース層31を提供する。
【００２４】
そして、紙ベース層31の一方の面に銀質乳剤を塗布することによって、反射濃度を0.4以上に制御するように、第1の銀質遮光層33を形成する。
【００２５】
次いで、銀質遮光層33の上に感光乳剤を塗布することによって、第1の感光層32を形成する。
【００２６】
その後、紙ベース層31の他方の面に銀質乳剤を塗布することによって、反射濃度を0.4以上に制御するように、第2の銀質遮光層35を形成する。
【００２７】
最後に、第2の銀質遮光層35の上に感光乳剤を塗布することによって、第2の感光層34を形成することで、両面感光印画紙の製造が完了する。
【００２８】
ここで、上述の銀質遮光乳剤層の製造手順が以下の通りである。
【００２９】
主な生産原料は、硝酸銀（AgNO3）と、酸化ナトリウム（NaCl）及び臭化カリウム（KBｒ）と、1,4-ジヒドロキシベンゼン及びメトール（硫酸  p-メチルアミノフェノール）からなる現像剤と、写真用ゼラチンと、を含む。
【００３０】
図7に示すように、生産プロセスは以下の通りである。
【００３１】
まず、濃度が約10％のAgNO3水溶液（溶解タンク41から）を用い、ジヒドロキシベンゼンとメトールの比率が1：1の現像剤溶液（溶解タンク42から）と一緒に、定時・定量で一定の比率で3％の写真用ゼラチン、NaCl及びKBｒ溶液を含有する反応タンク40に入れてモータ43で撹拌し、乳化・熟成させる。反応の過程が以下の通りである。
【００３２】
Ag+ + Red -> Ag + OX + H+
ただし、Redが還元剤（現像剤）で、OXが現像剤の酸化物である。
【００３３】
その後、沈降、水洗を行うことによって、反応の過程における副産物（例えば残りの酸化物と過剰のNaCl及びKBｒ）などの水溶性の物質を除去する。
【００３４】
次いで、水を入れて再溶解する。
【００３５】
最後に、桶に入れ（冷蔵保存）、中性の灰色の銀質乳剤を冷凍して冷蔵庫に（温度：5〜8℃）保存する。銀質乳剤は、Agと写真用ゼラチンを含有するが、少量のAgOを含む場合もある。
【００３６】
次に、上述の両面感光カラー印画紙（20,30）の露光後の焼付けの過程を説明する。
【００３７】
まず、カラー現像である。両面感光カラー印画紙は、焼付けの過程において、感光層（22,24,32,34）における露光によって形成されたAg+はカラー現像剤でAｇに還元されるが、銀質遮光層に元々含まれているAgはカラー現像で殆ど化学反応が起こらない。
【００３８】
そして、漂白定着液で漂白・定着を行う。両面カラー印画紙が漂白定着液を通るとき、銀質遮光層（23,33,35）のAgが感光層（22,24,32,34）におけるAg及びAg+と一緒に漂白定着液と化学的に作用する。漂白定着液は漂白剤と定着剤からなる。ここで、漂白剤は、現像で形成された金属銀（Ag）をイオン状態（Ag+）に転化するもので、反応の過程は以下の通りである。
【００３９】
Ag + OX + H+  -> Ag+ +Red
ただし、OXが酸化剤で、Redが酸化剤の還元物である。
【００４０】
さらに、溶液中で定着剤が銀イオン（Ag+）と可溶性の銀の配合物を形成し、また定着剤が印画紙に残った現像されていない銀ハライド（AｇX）を溶解させるが、反応の過程は以下の通りである。
【００４１】
AgS2O3- + S2O3-2   -> Ag(S2O3)2-3
次に、水洗して乳剤層に残った不純物、例えば漂白定着液や銀の配合物などを洗い流す。
【００４２】
上述の銀質遮光層は、Ag微粒子が除去された後、無色透明のゼラチン層になるため、感光層の画像品質が銀質遮光層に影響されることがない。
【００４３】
このように、本発明の上述実施例は、既存技術と比べて、以下の技術効果がある。
【００４４】
1、銀質遮光層を設けることにより、光が透過し、露光の必要のない感光層にあるべきではない画像を生成させ、本来の画像品質を損なうことを防止することができる。
【００４５】
2、焼付けの過程で、銀質遮光層における銀を除去することができるため、印画紙の最終的な観賞の品質に影響を及ぼすおそれがない。
【００４６】
本発明は、好適な実施例を以上のように挙げたが、これらは本発明の制限のためのものではなく、当業者であれば、誰でも本発明の趣旨及び範囲内で、ある程度の変更や改善を行うことができるため、本発明の保護範囲は請求の範囲で定められるものに準ずるべきである。
【図１】
2011524543.tif 000003
【図２】
2011524543.tif 000004
【図３】
2011524543.tif 000005
【図４Ａ】
2011524543.tif 000006
【図４Ｂ】
2011524543.tif 000007
【図５】
2011524543.tif 000008
【図６】
2011524543.tif 000009
【図７】
2011524543.tif 000010
【国際調査報告】
2011524543.tif 000011
2011524543.tif 000012
2011524543.tif 000013
2011524543.tif 000014
2011524543.tif 000015
2011524543.tif 000016